(57)【要約】【課題】両面印刷機能を有していても前後方向で小型化することが可能なカード発行装置を提供する。【解決手段】カード発行装置１は、カードスタックユニット３と、カードリーダユニット４と、カード２に印刷を行う印刷ユニット５と、カード２を表裏に反転させるカード反転ユニット６とを備え、印刷ユニット５は、インクリボン２２の供給ロール２３と、インクリボン２２の巻取ロール２４と、インクリボン２２を加熱してカード２に印刷を行うサーマルヘッド２６とを備えている。サーマルヘッド２６は、前後方向において供給ロール２３と巻取ロール２４との間に配置されるとともに、供給ロール２３および巻取ロール２４は、サーマルヘッド２６よりも上側に配置されている。このカード発行装置１では、カードスタックユニット３とカード反転ユニット６とサーマルヘッド２６とカードリーダユニット４とが前後方向においてこの順番に配置されている。【選択図】図１
2018052023.tif 000002
【特許請求の範囲】
【請求項１】
カードを発行するカード発行装置において、
発行前の前記カードが積層されて収容されるカード収容部と前記カード収容部の中の一番下の前記カードを送り出すカード送出機構とを有するカードスタックユニットと、前記カードに記録されたデータの読取および前記カードへのデータの記録の少なくとも一方を行うカードリーダユニットと、前記カードに印刷を行う印刷ユニットと、前記カードを表裏に反転させるカード反転ユニットとを備え、
前記印刷ユニットは、インクリボンが巻回される供給ロールと、前記供給ロールから供給された前記インクリボンが巻き取られる巻取ロールと、前記インクリボンを加熱して前記カードに前記インクリボンのインクを転写し印刷するサーマルヘッドとを備え、
前記サーマルヘッドは、前記カード発行装置の前後方向において前記供給ロールと前記巻取ロールとの間に配置されるとともに、前記供給ロールおよび前記巻取ロールは、前記サーマルヘッドよりも上側に配置され、
前記カードスタックユニットと、前記カード反転ユニットと、前記サーマルヘッドと、前記カードリーダユニットとは、前後方向においてこの順番に配置されていることを特徴とするカード発行装置。
【請求項２】
前記カードが回収される第１カード回収庫および第２カード回収庫を備え、
前記第１カード回収庫は、前記カードスタックユニットの下側に配置され、
前記第２カード回収庫は、前記カードリーダユニットの下側に配置され、
前記カード反転ユニットは、前記カードを内部に一時的に保持するカード保持部と、前記カード保持部への前記カードの引き込みと前記カード保持部からの前記カードの送り出しとを行うカード引込送出機構と、上下方向と前後方向とに直交する左右方向を回動の軸方向として前記カード保持部を回動させる回動機構とを備え、
前記カード保持部が回動すると、前記カード保持部から前記カードリーダユニットに向かって前記カードが搬送される第１搬送経路と、前記カード保持部から前記第１カード回収庫に向かって前記カードが搬送される第２搬送経路と、前記カード保持部から前記第２カード回収庫に向かって前記カードが搬送される第３搬送経路とに前記カードの搬送経路が切り替わることを特徴とする請求項１記載のカード発行装置。
【請求項３】
前記カード保持部と前記第１カード回収庫との間の前記カードの搬送路、または、前記カード保持部と前記第２カード回収庫との間の前記カードの搬送路に配置され、前記カードを搬送する回収用カード搬送機構を備え、
前記カードリーダユニットおよび前記印刷ユニットの前記カードの搬送路で前記カードを搬送するカード搬送機構の駆動源と、前記回収用カード搬送機構の駆動源とが個別に設けられていることを特徴とする請求項２記載のカード発行装置。
【発明の詳細な説明】
【技術分野】
【０００１】
本発明は、カードを発行するカード発行装置に関する。
【背景技術】
【０００２】
従来、カードを発行するカード発行装置が知られている（たとえば、特許文献１参照）。特許文献１に記載のカード発行装置は、カードに記録されたデータの読取やカードへのデータの記録を行うカードリーダと、発行前のカードが積層されて収容されるカードカセットとカードカセットに収容されたカードをカードリーダに向かって送り出すカードの送出機構とを有するカードスタッカと、不要なカードを回収するカード回収部とを備えている。カードスタッカとカード回収部とは上下方向で重なっている。カードリーダは、カードスタッカの前側に配置されている。
【０００３】
また、従来、カードを発行するカード発行装置として、カードを所定方向へ回転させるカード回転機構を備えるカード発行装置が知られている（たとえば、特許文献２参照）。特許文献２に記載のカード発行装置では、カード回転機構は、カードを搬送する駆動ローラおよび従動ローラと、駆動ローラおよび従動ローラが回転可能に取り付けられる取付部材と、取付部材を回転させる回転駆動手段とを備えている。このカード回転機構では、カードを表裏に反転させることが可能になっている。
【０００４】
また、従来、カードに印刷を行う印刷装置が知られている（たとえば、特許文献３参照）。特許文献３に記載の印刷装置は、インクリボンが巻回される供給ロールおよび巻取ロールを有するインクリボンカートリッジと、インクリボンカートリッジが着脱可能に取り付けられる本体部とから構成されている。また、この印刷装置は、カードを搬送するカード搬送機構と、インクリボンを加熱してカードにインクリボンのインクを転写し印刷するサーマルヘッドと、供給ロールと巻取ロールとの間でインクリボンを送るリボン送り機構とを備えている。供給ロールは、サーマルヘッドの上側かつ前側に配置され、巻取ロールは、サーマルヘッドの上側かつ後ろ側に配置されている。
【先行技術文献】
【特許文献】
【０００５】
【特許文献１】特開２０１５−１６１９９１号公報
【特許文献２】特開２００７−４１６３５号公報
【特許文献３】特開２０１４−１０４７４５号公報
【発明の概要】
【発明が解決しようとする課題】
【０００６】
本願発明者は、特許文献１に記載のカード発行装置に、カードの両面に印刷を行うことが可能となる両面印刷機能を追加することを検討している。特許文献１に記載のカード発行装置に両面印刷機能を追加するためには、特許文献１に記載のカード発行装置と特許文献３に記載の印刷装置と特許文献２に記載のカード回転機構とを組み合わせれば良い。しかしながら、特許文献１に記載のカード発行装置と特許文献３に記載の印刷装置と特許文献２に記載のカード回転機構とを単純に組み合わせたのでは、前後方向においてカード発行装置が大型化するおそれがある。
【０００７】
そこで、本発明の課題は、両面印刷機能を有していても前後方向で小型化することが可能なカード発行装置を提供することにある。
【課題を解決するための手段】
【０００８】
上記の課題を解決するため、本発明のカード発行装置は、カードを発行するカード発行装置において、発行前のカードが積層されて収容されるカード収容部とカード収容部の中の一番下のカードを送り出すカード送出機構とを有するカードスタックユニットと、カードに記録されたデータの読取およびカードへのデータの記録の少なくとも一方を行うカードリーダユニットと、カードに印刷を行う印刷ユニットと、カードを表裏に反転させるカード反転ユニットとを備え、印刷ユニットは、インクリボンが巻回される供給ロールと、供給ロールから供給されたインクリボンが巻き取られる巻取ロールと、インクリボンを加熱してカードにインクリボンのインクを転写し印刷するサーマルヘッドとを備え、サーマルヘッドは、カード発行装置の前後方向において供給ロールと巻取ロールとの間に配置されるとともに、供給ロールおよび巻取ロールは、サーマルヘッドよりも上側に配置され、カードスタックユニットと、カード反転ユニットと、サーマルヘッドと、カードリーダユニットとは、前後方向においてこの順番に配置されていることを特徴とする。
【０００９】
本発明のカード発行装置では、カードスタックユニットとカード反転ユニットとサーマルヘッドとカードリーダユニットとが前後方向においてこの順番に配置されている。そのため、本発明では、たとえば、カード発行装置がＡＴＭ（Ａｕｔｏｍａｔｅｄ  Ｔｅｌｌｅｒ  Ｍａｃｈｉｎｅ）に搭載されて使用される場合、ＡＴＭの前面側にカードリーダユニットが配置されるようにＡＴＭにカード発行装置を搭載することで、現金の引き出しが行われるとき等のカードリーダユニットのみでの処理によってＡＴＭでのカードの処理が完了するときに、カード発行装置の奥側までカードを取り込む必要がなくなる。したがって、本発明では、このときのカードの処理を簡素化することが可能になるとともに、カードの処理時間を短縮することが可能になる。
【００１０】
また、本発明のカード発行装置は、カードに印刷を行う印刷ユニットと、カードを表裏に反転させるカード反転ユニットとを備えているため、カードの両面に印刷を行うことが可能になる。また、本発明では、カードスタックユニットとカード反転ユニットとサーマルヘッドとカードリーダユニットとが前後方向においてこの順番に配置されているため、カードスタックユニットとサーマルヘッドとカード反転ユニットとカードリーダユニットとが前後方向においてこの順番に配置されている場合と比較して、前後方向でカード発行装置を小型化することが可能になる。
【００１１】
すなわち、本発明では、サーマルヘッドよりも上側に配置されるとともに前後方向においてカードスタックユニット側に配置される供給ロールまたは巻取ロールと、カードが積層されて収容される高さの高いカード収容部とが干渉しないように、カードスタックユニットと印刷ユニットとを配置する必要があるが、カードスタックユニットとサーマルヘッドとカード反転ユニットとカードリーダユニットとが前後方向においてこの順番に配置されていると、供給ロールまたは巻取ロールとカード収容部とが干渉しないように、カードスタックユニットと印刷ユニットとを配置した上で、さらに、前後方向においてサーマルヘッドとカードリーダユニットとの間にカード反転ユニットを配置しなければならない。これに対して、本発明では、カードスタックユニットとカード反転ユニットとサーマルヘッドとカードリーダユニットとが前後方向においてこの順番に配置されているため、前後方向におけるカードスタックユニットとサーマルヘッドとの間であって、供給ロールまたは巻取ロールよりも下側にカード反転ユニットを配置することが可能になる。
【００１２】
したがって、本発明では、カードスタックユニットとサーマルヘッドとカード反転ユニットとカードリーダユニットとが前後方向においてこの順番に配置されている場合と比較して、前後方向でカード発行装置を小型化することが可能になる。すなわち、本発明では、カード発行装置が両面印刷機能を有していても前後方向でカード発行装置を小型化することが可能になる。
【００１３】
本発明において、カード発行装置は、カードが回収される第１カード回収庫および第２カード回収庫を備え、第１カード回収庫は、カードスタックユニットの下側に配置され、第２カード回収庫は、カードリーダユニットの下側に配置され、カード反転ユニットは、カードを内部に一時的に保持するカード保持部と、カード保持部へのカードの引き込みとカード保持部からのカードの送り出しとを行うカード引込送出機構と、上下方向と前後方向とに直交する左右方向を回動の軸方向としてカード保持部を回動させる回動機構とを備え、カード保持部が回動すると、カード保持部からカードリーダユニットに向かってカードが搬送される第１搬送経路と、カード保持部から第１カード回収庫に向かってカードが搬送される第２搬送経路と、カード保持部から第２カード回収庫に向かってカードが搬送される第３搬送経路とにカードの搬送経路が切り替わることが好ましい。
【００１４】
このように構成すると、カードを表裏に反転させるカード反転ユニットを用いて、第１カード回収庫および第２カード回収庫にカードを回収することが可能になる。また、このように構成すると、回収されるカードを目的に応じて、第１カード回収庫と第２カード回収庫とに分けて回収することが可能になる。たとえば、カードスタックユニットから送り出されたカードを新規に発行する際にエラーが発生したカードを第１カード回収庫に回収し、カードリーダユニットのカード挿入口から挿入された廃却用の使用済みカードを第２カード回収庫に回収することが可能になる。さらに、このように構成すると、第１カード回収庫と第２カード回収庫との２個のカード回収庫が設けられていても、共通のカード反転ユニットを用いて、第１カード回収庫と第２カード回収庫とにカードを回収することが可能になる。したがって、第１カード回収庫にカードを回収するための回収機構と、第２カード回収庫にカードを回収するための回収機構とが個別に設けられている場合と比較して、カード発行装置の構成を簡素化することが可能になる。
【００１５】
本発明において、カード発行装置は、カード保持部と第１カード回収庫との間のカードの搬送路、または、カード保持部と第２カード回収庫との間のカードの搬送路に配置され、カードを搬送する回収用カード搬送機構を備え、カードリーダユニットおよび印刷ユニットのカードの搬送路でカードを搬送するカード搬送機構の駆動源と、回収用カード搬送機構の駆動源とが個別に設けられていることが好ましい。
【００１６】
このように構成すると、カード保持部と第１カード回収庫との間のカードの搬送路、または、カード保持部と第２カード回収庫との間のカードの搬送路に一時的にカードを留めた状態で、カードリーダユニットや印刷ユニットで他のカードを処理することが可能になる。したがって、第１カード回収庫または第２カード回収庫に向かってカード保持部から搬送されたカードを、カードリーダユニットや印刷ユニットでの他のカードの処理後に何らかの原因でカード保持部に戻さなければならない状況が生じた場合に、このカードをカード保持部に戻すことが可能になる。
【発明の効果】
【００１７】
以上のように、本発明では、カード発行装置が両面印刷機能を有していても前後方向でカード発行装置を小型化することが可能になる。
【図面の簡単な説明】
【００１８】
【図１】本発明の実施の形態にかかるカード発行装置の概略構成を側面から説明するための図である。
【図２】図１に示すカード発行装置において第１カード回収庫にカードが回収されるときの状態を説明するための図である。
【図３】図１に示すカード発行装置において第２カード回収庫にカードが回収されるときの状態を説明するための図である。
【図４】図１に示すカード発行装置においてオプションユニットに向かってカードが搬送されるときの状態を説明するための図である。
【発明を実施するための形態】
【００１９】
以下、図面を参照しながら、本発明の実施の形態を説明する。
【００２０】
（カード発行装置の構成）
図１は、本発明の実施の形態にかかるカード発行装置１の概略構成を側面から説明するための図である。なお、図１のＸ方向は、カード発行装置１の前後方向であり、図１のＺ方向は、カード発行装置１の上下方向であり、図１のＹ方向は、前後方向と上下方向とに直交するカード発行装置１の左右方向である。また、前後方向のうちのＸ１方向側は、カード発行装置１の前側であり、その反対側であるＸ２方向側は、カード発行装置１の後ろ側である。
【００２１】
本形態のカード発行装置１は、新規のカード２を発行するための装置であり、たとえば、ＡＴＭに搭載されて使用される。このカード発行装置１は、発行前の新規のカード２が収容されるカードスタックユニット３と、カード２に記録されたデータの読取およびカード２へのデータの記録の少なくともいずれか一方を行うカードリーダユニット４と、カード２に印刷を行う印刷ユニット５と、カード２を表裏に反転させるカード反転ユニット６と、カード２が回収される２個のカード回収庫７、８とを備えている。カード発行装置１は、ＡＴＭの前面側にカード発行装置１の前端側が配置されるようにＡＴＭに搭載されている。
【００２２】
カード２は、たとえば、厚さが０．７〜０．８ｍｍ程度の塩化ビニール製のカードであり、略長方形状に形成されている。このカード２の表面には、たとえば、磁気データが記録される磁気ストライプが形成されている。また、たとえば、カード２の内部には、ＩＣチップが内蔵されている。なお、カード２は、厚さが０．１８〜０．３６ｍｍ程度のＰＥＴ（ポリエチレンテレフタレート）カードであっても良いし、所定の厚さの紙カード等であっても良い。
【００２３】
カードスタックユニット３は、発行前のカード２が積層されて収容されるカード収容部１２と、カード収容部１２の中の一番下のカード２を送り出すカード送出機構１３とを備えている。カード収容部１２は、カード２が収容されるカードカセット１４と、カードカセット１４が着脱可能に取り付けられる本体部１５とを備えている。カード送出機構１３は、カード収容部１２の下側に配置されており、上下方向でカード収容部１２と重なっている。このカード送出機構１３は、たとえば、カード収容部１２の中の一番下のカード２に係合してこのカード２をカード収容部１２の外部に送り出す送出爪（図示省略）と、送出爪を移動させる爪送り機構（図示省略）とを備えており、カード収容部１２に収容されたカード２を前側に向かって送り出す。
【００２４】
カードリーダユニット４は、カード２に記録された磁気データの読取やカード２への磁気データの記録を行う磁気ヘッド１８、１９を備えている。また、カード２が接触式のＩＣカードである場合には、カードリーダユニット４は、カード２のＩＣチップの外部接続端子に接触するＩＣ接点バネ（図示省略）を備えている。また、カード２が非接触式のＩＣカードである場合には、カードリーダユニット４は、カード２のアンテナと非接触で通信を行うためのアンテナ（図示省略）を備えている。カードリーダユニット４の前端には、カード２の挿入排出口４ａが形成されている。なお、カード２の表面に磁気ストライプが形成されていない場合には、カードリーダユニット４は、磁気ヘッド１８、１９を備えていなくても良い。
【００２５】
印刷ユニット５は、インクリボン２２が巻回される供給ロール２３および供給ロール２３から供給されたインクリボン２２が巻き取られる巻取ロール２４を有するインクリボンカートリッジ２５と、インクリボン２２を加熱してインクリボン２２のインクをカード２に転写し印刷するサーマルヘッド２６と、サーマルヘッド２６を昇降させるヘッド昇降機構（図示省略）と、供給ロール２３から巻取ロール２４にインクリボン２２を送るリボン送り機構（図示省略）とを備えている。
【００２６】
また、カードリーダユニット４および印刷ユニット５の内部には、カード２が搬送される搬送路２８が形成されている。カードリーダユニット４および印刷ユニット５は、搬送路２８でカード２を搬送するカード搬送機構２９を備えている。カード搬送機構２９は、カードリーダユニット４の一部を構成する３個の駆動ローラ３０、３１、３２と、印刷ユニット５の一部を構成する駆動ローラ３３およびプラテンローラ３４とを備えており、カード２を前後方向へ搬送する。駆動ローラ３０〜３３およびプラテンローラ３４には、動力伝達機構（図示省略）を介して共通の駆動源（具体的には、図示を省略するモータ）が連結されている。
【００２７】
駆動ローラ３０〜３２は、上側から搬送路２８に臨むように配置されている。また、駆動ローラ３０〜３２は、前側から後ろ側に向かってこの順番で、かつ、互いに所定の間隔をあけた状態で配置されている。駆動ローラ３０〜３２のそれぞれには、パッドローラ３５、３６、３７が対向配置されている。パッドローラ３５〜３７は、下側から搬送路２８に臨むように配置されている。
【００２８】
駆動ローラ３３およびプラテンローラ３４は、下側から搬送路２８に臨むように配置されている。プラテンローラ３４は、駆動ローラ３２よりも後ろ側に配置されている。駆動ローラ３３は、プラテンローラ３４よりも後ろ側に配置されている。駆動ローラ３３には、印刷前のカード２の表面に付着した塵埃等を除去するためのクリーニングローラ３８が対向配置されている。クリーニングローラ３８は、上側から搬送路２８に臨むように配置されている。プラテンローラ３４は、サーマルヘッド２６の真下に配置されている。
【００２９】
磁気ヘッド１８は、上側から搬送路２８に臨むように配置され、磁気ヘッド１９は、下側から搬送路２８に臨むように配置されている。また、磁気ヘッド１８、１９は、前後方向において、駆動ローラ３１およびパッドローラ３６と同じ位置に配置されている。サーマルヘッド２６は、ヘッド保持部材３９に保持されている。このサーマルヘッド２６は、上側からインクリボン２２を介してカード２に接触可能となっている。サーマルヘッド２６は、前後方向において、供給ロール２３と巻取ロール２４との間に配置されている。本形態では、サーマルヘッド２６よりも前側に供給ロール２３が配置され、サーマルヘッド２６よりも後ろ側に巻取ロール２４が配置されている。また、供給ロール２３および巻取ロール２４は、サーマルヘッド２６よりも上側に配置されている。
【００３０】
カード反転ユニット６は、カード２を内部に一時的に保持するカード保持部４３と、カード保持部４３へのカード２の引き込みとカード保持部４３からのカード２の送り出しとを行うカード引込送出機構４４と、左右方向を回動の軸方向としてカード保持部４３を回動させる回動機構４５とを備えている。カード保持部４３は、略直方体のブロック状に形成されている。左右方向から見たときのカード保持部４３の形状は、略長方形状となっている。左右方向から見たときのカード保持部４３の長手方向の幅は、略長方形状に形成されるカード２の長手方向の幅よりも広くなっている。
【００３１】
カード保持部４３は、支持軸４６に回動可能に支持されている。支持軸４６は、支持軸４６の軸方向と左右方向とが一致するように配置されている。また、支持軸４６は、左右方向から見たときに略長方形状をなすカード保持部４３の中心部分を支持している。カード保持部４３の内部には、カード２が搬送される搬送路４７が形成されている。
【００３２】
搬送路４７は、左右方向から見たときに、略長方形状をなすカード保持部４３の短手方向の中心位置に形成されるとともに、カード保持部４３の長手方向に沿う直線状に形成されている。搬送路４７は、左右方向において搬送路２８と同じ位置に配置されている。また、搬送路４７は、左右方向においてカードスタックユニット３のカード送出口と同じ位置に配置されている。カード保持部４３の内部で一時的に保持されるカード２は、以下に説明する２個の駆動ローラ４８と２個のパッドローラ４９との間に挟まれた状態で搬送路４７の中に配置されている。
【００３３】
カード引込送出機構４４は、搬送路４７の両端側のそれぞれに配置される２個の駆動ローラ４８と、２個の駆動ローラ４８のそれぞれに対向配置される２個のパッドローラ４９と、駆動ローラ４８を回転させるモータ５０と、モータ５０の動力を駆動ローラ４８に伝達する動力伝達機構５１とを備えており、左右方向から見たときのカード保持部４３の長手方向へカード２を搬送する。駆動ローラ４８は、搬送路４７を通過するカード２の厚さ方向の一方側から搬送路４７に臨むように配置され、パッドローラ４９は、搬送路４７を通過するカード２の厚さ方向の他方側から搬送路４７に臨むように配置されている。動力伝達機構５１は、プーリ、ベルトおよび歯車列等を備えている。
【００３４】
回動機構４５は、支持軸４６を中心にしてカード保持部４３を回動させるモータ５４と、モータ５４の動力をカード保持部４３に伝達する動力伝達機構５５とから構成されている。動力伝達機構５５は、プーリおよびベルト等を備えている。モータ５０、５４は、カード保持部４３の下側に配置されている。
【００３５】
図１に示すように、カードスタックユニット３とカード反転ユニット６とサーマルヘッド２６とカードリーダユニット４とは、前後方向においてこの順番で配置されている。具体的には、カードスタックユニット３とカード反転ユニット６とサーマルヘッド２６とカードリーダユニット４とは、後ろ側から前側に向かってこの順番で配置されている。上述のように、カード発行装置１は、ＡＴＭの前面側にカード発行装置１の前端側が配置されるようにＡＴＭに搭載されており、カードリーダユニット４は、ＡＴＭの前面側に配置されている。
【００３６】
また、カード反転ユニット６は、駆動ローラ３３およびクリーニングローラ３８よりも後ろ側に配置されている。また、カードリーダユニット４の後端側部分は、供給ロール２３の下側に配置されている。また、左右方向から見たときに搬送路４７が前後方向と平行になっている状態（図１に示す状態）では、カード反転ユニット６の前端側部分は、巻取ロール２４の下側に配置されている。
【００３７】
カード回収庫７は、カードスタックユニット３の下側に配置されており、カード保持部４３の斜め下後方に配置されている。カード回収庫８は、カードリーダユニット４の下側に配置されており、カード保持部４３の斜め下前方に配置されている。また、カード回収庫７、８は、左右方向においてカード保持部４３と同じ位置に配置されている。本形態のカード回収庫７は、カードスタックユニット３の下側に配置される第１カード回収庫であり、カード回収庫８は、カードリーダユニット４の下側に配置される第２カード回収庫である。
【００３８】
カード保持部４３とカード回収庫８との間には、カード２の搬送路６２が形成されている。搬送路６２は、左右方向においてカード保持部４３と同じ位置に配置されている。この搬送路６２は、前側に向かうにしたがって下側に向かうように傾斜している。搬送路６２には、カード２を搬送する回収用カード搬送機構６３が配置されている。
【００３９】
回収用カード搬送機構６３は、駆動ローラ６４と、駆動ローラ６４に対向配置されるパッドローラ６５とを備えている。駆動ローラ６４は、下側から搬送路６２に臨むように配置され、パッドローラ６５は、上側から搬送路６２に臨むように配置されている。また、回収用カード搬送機構６３は、駆動ローラ６４を回転させるモータ６６と、モータ６６の動力を駆動ローラ６４に伝達する動力伝達機構６７とを備えている。すなわち、本形態では、搬送路２８でカード２を搬送するカード搬送機構２９の駆動源であるモータ（図示省略）と、回収用カード搬送機構６３の駆動源であるモータ６６とが個別に設けられている。動力伝達機構６７は、プーリおよびベルト等を備えている。
【００４０】
本形態では、支持軸４６を中心にしてカード保持部４３が回動すると、カード保持部４３からカードリーダユニット４に向かってカード２が搬送される第１搬送経路と、カード保持部４３からカード回収庫７に向かってカード２が搬送される第２搬送経路（図２参照）と、カード保持部４３からカード回収庫８に向かってカード２が搬送される第３搬送経路（図３参照）とにカード２の搬送経路が切り替わる。
【００４１】
（カード発行装置の動作）
図２は、図１に示すカード発行装置１においてカード回収庫７にカード２が回収されるときの状態を説明するための図である。図３は、図１に示すカード発行装置１においてカード回収庫８にカード２が回収されるときの状態を説明するための図である。
【００４２】
上述のように、カード発行装置１は、ＡＴＭに搭載されている。ＡＴＭで現金の引き出しや振り込み等が行われるときには、挿入排出口４ａから挿入されたカード２に対してカードリーダユニット４が所定の処理を行い、その後、カード２を挿入排出口４ａから排出する。
【００４３】
また、ＡＴＭで新規にカード２が発行されるときには、図１に示すように、カードスタックユニット３からカード保持部４３にカード２が搬送されるとともにカード保持部４３からカードリーダユニット４にカード２が搬送されるように、搬送路４７が前後方向と平行になっている状態で、カードスタックユニット３がカード２を送り出す。搬送路４７が前後方向と平行になっている状態では、上下方向において搬送路２８と搬送路４７とが同じ位置に配置されている。
【００４４】
カードスタックユニット３からカード２が送り出されると、カード２の後端がサーマルヘッド２６よりも前側に配置される位置までカード引込送出機構４４およびカード搬送機構２９がカード２を前側に搬送する。カード２の後端がサーマルヘッド２６よりも前側に配置される位置までカード２が搬送されると、クリーニングローラ３８の作用でカード２のおもて面（上面）がきれいになる。
【００４５】
その後、サーマルヘッド２６が下降するとともにカード搬送機構２９がカード２を後ろ側に搬送して、サーマルヘッド２６がカード２のおもて面に文字等を印刷する。また、その後、カード２の裏面に印刷が行われる場合には、カード保持部４３の中にカード２が保持されるまでカード引込送出機構４４およびカード搬送機構２９がカード２を搬送してから、カード保持部４３が１８０°回動してカード２を反転させた後、カード２の後端がサーマルヘッド２６よりも前側に配置される位置までカード引込送出機構４４およびカード搬送機構２９がカード２を前側に搬送する。カード２の後端がサーマルヘッド２６よりも前側に配置される位置までカード２が搬送されると、クリーニングローラ３８の作用でカード２の裏面がきれいになる。また、その後、カード搬送機構２９がカード２を後ろ側へ搬送しながらサーマルヘッド２６がカード２の裏面に文字等を印刷する。
【００４６】
カード２への印刷が終了すると、カードリーダユニット４がカード２に磁気データを記録する等の所定の処理を行ってから、挿入排出口４ａからカード２を発行する。ここで、カードリーダユニット４での処理時に所定のエラーが発生すると、エラーが発生したカード２がカード保持部４３の中に保持されるまで、カード搬送機構２９およびカード引込送出機構４４がカード２を後ろ側へ搬送する。その後、図２に示すように、カード保持部４３からカード回収庫７にカード２が搬送されるようにカード保持部４３が回動してから、カード引込送出機構４４がカード回収庫７に向かってカード２を搬送し、カード回収庫７にカード２を回収する。
【００４７】
また、ＡＴＭでカード２が新しいカード２に更新されるときには、まず、挿入排出口４ａから挿入された使用済みのカード２がカード保持部４３の中に保持されるまで、カード搬送機構２９およびカード引込送出機構４４がカード２を搬送する。その後、図３に示すように、カード保持部４３からカード回収庫８にカード２が搬送されるようにカード保持部４３が回動してから、カード引込送出機構４４が搬送路６２にカード２を送り出す。回収用カード搬送機構６３は、搬送路６２に送り出されたカード２を駆動ローラ６４とパッドローラ６５との間で保持する。
【００４８】
また、搬送路６２にカード２が送り出されると、カードスタックユニット３からカード保持部４３にカード２が搬送されるとともにカード保持部４３からカードリーダユニット４にカード２が搬送されるように、カード保持部４３が回動する。その後、上述のように、カードスタックユニット３が送り出した新規のカード２にサーマルヘッド２６が文字等を印刷した後、カードリーダユニット４が所定の処理を行って、挿入排出口４ａからカード２を発行する。
【００４９】
カード２が挿入排出口４ａから発行されると、駆動ローラ６４とパッドローラ６５との間で保持されているカード２を回収用カード搬送機構６３がカード回収庫８に向かって搬送して、カード回収庫８に使用済みのカード２を回収する。一方、新規のカード２を発行する際に何らかのエラーが発生して、駆動ローラ６４とパッドローラ６５との間で保持されているカード２をユーザに返却しなければならない場合には、このカード２がカード保持部４３の中に保持されるまで、回収用カード搬送機構６３およびカード引込送出機構４４がこのカード２を搬送する。その後、カード保持部４３からカードリーダユニット４にカード２が搬送されるようにカード保持部４３が回動してから、カード引込送出機構４４およびカード搬送機構２９がカード２を搬送して、挿入排出口４ａからカード２を排出する。
【００５０】
（本形態の主な効果）
以上説明したように、本形態では、カードスタックユニット３とカード反転ユニット６とサーマルヘッド２６とカードリーダユニット４とが後ろ側から前側に向かってこの順番に配置されており、カードスタックユニット４は、ＡＴＭの前面側に配置されている。そのため、本形態では、現金の引き出しが行われるとき等のカードリーダユニット４のみでの処理によってＡＴＭでのカード２の処理が完了するときに、カード発行装置１の奥側までカード２を取り込む必要がない。したがって、本形態では、このときのカード２の処理を簡素化することが可能になるとともに、カード２の処理時間を短縮することが可能になる。
【００５１】
本形態では、カード発行装置１は、カード２に印刷を行う印刷ユニット５と、カード２を表裏に反転させるカード反転ユニット６とを備えている。そのため、本形態のカード発行装置１では、カード２の両面に印刷を行うことができる。また、本形態では、カードスタックユニット３とカード反転ユニット６とサーマルヘッド２６とカードリーダユニット４とが後ろ側から前側に向かってこの順番に配置されているため、カードスタックユニット３とサーマルヘッド２６とカード反転ユニット６とカードリーダユニット４とが後ろ側から前側に向かってこの順番に配置されている場合と比較して、前後方向でカード発行装置１を小型化することが可能になる。
【００５２】
すなわち、本形態では、サーマルヘッド２６よりも上側に配置されるとともに後ろ側に配置される巻取ロール２４と、カード２が積層されて収容される高さの高いカード収容部１２とが干渉しないように、カードスタックユニット３と印刷ユニット５とを配置する必要があるが、カードスタックユニット３とサーマルヘッド２６とカード反転ユニット６とカードリーダユニット４とが後ろ側から前側に向かってこの順番に配置されていると、巻取ロール２４とカード収容部１２とが干渉しないように、カードスタックユニット３と印刷ユニット５とを配置した上で、さらに、前後方向においてサーマルヘッド２６とカードリーダユニット４との間にカード反転ユニット６を配置しなければならない。これに対して、本形態では、前後方向におけるカードスタックユニット３とサーマルヘッド２６との間であって、巻取ロール２４よりも下側にカード反転ユニット６を配置することが可能になる。
【００５３】
したがって、本形態では、カードスタックユニット３とサーマルヘッド２６とカード反転ユニット６とカードリーダユニット４とが後ろ側から前側に向かってこの順番に配置されている場合と比較して、前後方向でカード発行装置１を小型化することが可能になる。すなわち、本形態では、カード発行装置１が両面印刷機能を有していても前後方向でカード発行装置１を小型化することが可能になる。
【００５４】
本形態では、カード保持部４３が回動すると、カード保持部４３からカードリーダユニット４に向かってカード２が搬送される第１搬送経路と、カード保持部４３からカード回収庫７に向かってカード２が搬送される第２搬送経路と、カード保持部４３からカード回収庫８に向かってカード２が搬送される第３搬送経路とにカード２の搬送経路が切り替わる。そのため、本形態では、カード２を表裏に反転させるカード反転ユニット６を用いて、カード回収庫７、８にカード２を回収することが可能になる。また、上述のように、カード２の発行時にエラーの発生したカード２をカード回収庫７に回収し、カード２の更新時に使用済みのカード２をカード回収庫８に回収することが可能になる。さらに、共通のカード反転ユニット６を用いて、２個のカード回収庫７、８にカード２を回収することが可能になるため、カード回収庫７にカード２を回収するための回収機構と、カード回収庫８にカード２を回収するための回収機構とが個別に設けられている場合と比較して、カード発行装置１の構成を簡素化することが可能になる。
【００５５】
本形態では、搬送路２８でカード２を搬送するカード搬送機構２９の駆動源（モータ）と、搬送路６２でカード２を搬送する回収用カード搬送機構６３の駆動源（モータ６６）とが個別に設けられている。そのため、本形態では、上述のように、搬送路６２に一時的にカード２を留めた状態で、新規のカード２の発行処理を行うことが可能になり、新規のカード２を発行する際に何らかのエラーが発生しても、搬送路６２に留まっているカード２を挿入排出口４ａから排出することが可能になる。
【００５６】
（他の実施の形態）
上述した形態は、本発明の好適な形態の一例ではあるが、これに限定されるものではなく本発明の要旨を変更しない範囲において種々変形実施が可能である。
【００５７】
上述した形態において、カード反転ユニット６の下側に所定のオプションユニットが設けられている場合には、たとえば、図４に示すように、左右方向から見たときに搬送路４７が上下方向と略平行になってカード保持部４３からオプションユニットにカード２が搬送されるように、カード保持部４３が回動しても良い。この場合、オプションユニットは、たとえば、カード反転ユニット６と同様に構成されている。なお、図４では、上述した形態と同一の構成には同一の符号を付している。
【００５８】
上述した形態では、搬送路２８でカード２を搬送するカード搬送機構２９の駆動源（モータ）と、搬送路６２でカード２を搬送する回収用カード搬送機構６３の駆動源（モータ６６）とが個別に設けられているが、カード搬送機構２９の駆動源と回収用カード搬送機構６３の駆動源とが共通であっても良い。
【００５９】
上述した形態において、カード保持部４３とカード回収庫８との間に搬送路６２が形成される代わりに、カード保持部４３とカード回収庫７との間にカード２の搬送路が形成されていても良い。この場合、この搬送路には、カード２を搬送する回収用カード搬送機構が配置される。また、この場合には、カード２の更新時に使用済みのカード２がカード回収庫７に回収され、カード２の発行時にエラーの発生したカード２がカード回収庫８に回収される。
【００６０】
上述した形態では、カード発行装置１は、２個のカード回収庫７、８を備えているが、カード発行装置１は、カード回収庫７またはカード回収庫８のみを備えていても良い。また、上述した形態では、カード発行装置１は、ＡＴＭに搭載されているが、カード発行装置１は、ＡＴＭ以外の上位装置に搭載されて使用されても良いし、単体で使用されても良い。
【符号の説明】
【００６１】
１  カード発行装置
２  カード
３  カードスタックユニット
４  カードリーダユニット
５  印刷ユニット
６  カード反転ユニット
７  カード回収庫（第１カード回収庫）
８  カード回収庫（第２カード回収庫）
１２  カード収容部
１３  カード送出機構
２２  インクリボン
２３  供給ロール
２４  巻取ロール
２６  サーマルヘッド
２８  搬送路（カードリーダユニットおよび印刷ユニットの搬送路）
２９  カード搬送機構
４３  カード保持部
４４  カード引込送出機構
４５  回動機構
６２  搬送路（カード保持部と第２カード回収庫との間の搬送路）
６３  回収用カード搬送機構
６６  モータ（回収用カード搬送機構の駆動源）
Ｘ  前後方向
Ｙ  左右方向
Ｚ  上下方向
【図１】
2018052023.tif 000003
【図２】
2018052023.tif 000004
【図３】
2018052023.tif 000005
【図４】
2018052023.tif 000006